(57)【要約】【課題】バキュームベルトユニットを容易に印刷装置本体から取り外し、バキュームベルトの交換を容易とすることにより、保守時間が短縮可能となるバキュームベルトユニットを具備したウェブ装置を提供することである。【解決手段】バキュームベルトユニットに設けられたベルト駆動ローラ端部にギヤを設け、スプラインシャフトに嵌合されるボスの回転軸と同じ回転軸を持つギヤとそのギヤから駆動伝達されるアイドルギヤを合わせ持ったギヤボックスをバキュームベルトユニットのフレームに位置決め固定する。【選択図】図１
2005231828.tif 000002
【特許請求の範囲】
【請求項１】
ウェブに文字や画像等を形成したインクを転写する転写部と、前記転写部の用紙搬送方向上流に１対のローラで前記ウェブを挟み込み回転搬送する挟持ローラと、前記転写部の用紙搬送方向下流に前記ウェブをエアー吸引搬送するバキュームベルトユニットからなり、前記バキュームベルトユニットは吸引ブロアと、吸引室を兼ねたフレームと、複数穴の開いたバキュームベルトと、前記バキュームベルトを搬送する駆動源と、該駆動源と連結した駆動ローラと従動ローラから構成され、前記駆動源と前記駆動ローラの間には、シャフト及びボスにそれぞれキー及びキー溝を直接削り、前記シャフト(以下、スプラインシャフトという)と前記ボスが滑動可能な動力伝達を有する印刷装置のウェブ搬送装置において、
前記バキュームベルトの駆動ローラ端部にギヤを設け、駆動ローラは前記印刷装置本体に設けられたスプラインシャフトに嵌合するボスにより駆動されるギヤからアイドルギヤへ駆動伝達され、アイドルギヤによってバキュームベルトの駆動をすることを特徴とするウェブ搬送装置。
【請求項２】
前記ボスにはボスと回転軸の同じギヤが固定され、前記ギヤに噛み合うようにアイドルギヤを一体としたギヤボックスを構成し、前記ギヤボックスをバキュームベルトユニットのフレームに位置決め固定することにより、バキュームベルトの駆動ローラ端部に設けられたギヤと前記アイドルギヤが噛み合い、前記バキュームベルトの駆動ローラが駆動されることを特徴とするウェブ搬送装置。
【発明の詳細な説明】
【技術分野】
【０００１】
本発明は、記録媒体に送り穴を有さないウェブ搬送装置に関するものである。
【背景技術】
【０００２】
図３に従来技術における連続ウェブ用印刷装置（印刷装置には電子写真方式・インクジェット方式・熱転写方式等様々存在するが、ここでは電子写真方式を例に示す）の概略図を示す。
【０００３】
図３に示す印刷装置は、感光ドラム１が回転し、帯電器２に高電圧が印加され、感光ドラム１表面に例えば正の電荷が均一に帯電される。ドットイメージに変換された文字データや図形データが半導体レーザや発光ダイオードなどで構成された光学ユニット３のオン／オフ信号として、前記感光ドラム１上に光が照射され、いわゆる静電潜像が形成される。前記静電潜像は現像装置４により現像され、前記感光ドラム１上にトナー像が形成される。前記トナー像は、ウェブ５の背面側に前記トナー像と逆極性の電荷を付与する転写器７の作用によってウェブ５上にトナーが転写される。ウェブ５は転写前には挟持ローラユニット６で搬送され、転写後はバキュームベルトユニット１４により搬送され、バッファ８を経て定着ユニット９に搬送される。前記定着ユニット９に到達したウェブ５は、プレヒータ１０で予熱された後、ヒータランプ１１を備えたヒートロール１２と加圧ローラ１３からなる一対の定着ローラによって形成されるニップ部によって加熱加圧されながら挟持搬送され、前記トナー像がウェブ５に溶融定着される。
【０００４】
また、前記バキュームベルトユニット１４は、ベルト駆動ローラ１４ａ、バキュームユニットフレーム１４ｂ、バキュームベルト１４ｃ、バキュームチューブ１４ｄ、従動ローラ１４e、圧力ケース１５、吸引ブロア１６から構成される。前記バキュームベルト１４ｃは、前記ベルト駆動ローラ１４ａによりウェブ５搬送方向に回転する。バキュームベルトユニットを用いたウェブの吸引搬送装置は周知の技術であり、印刷装置に多く用いられている。以下、従来技術であるバキュームベルトユニットの構成を記す。
【０００５】
バキュームベルトユニットを用いている技術の関連特許として特許文献１、特許文献２等がある。
【０００６】
図４のように前記バキュームベルト１４ｃはゴム材質で形成されており若干の伸縮が可能である。また全周には穴が空いており、ウェブ５を吸引しながら搬送する構成となっている。バキュームベルトユニット１４は支持シャフト１７と駆動源となるスプラインシャフト１８によって印刷装置本体に支持されている。ベルト駆動ローラ１４aは内径にスプラインシャフト１８に嵌合して駆動される溝を有するボスが設けられており、スプライン方式により強力な動力伝達が可能であり、バキュームベルトユニット１４はウェブの幅ｌに応じて移動可能である。バキュームベルトユニット１４はウェブ５をスキュー無く、走行させるためにウェブ５の幅方向中央部にユーザにより設定する構成となっている。しかし、このような構成であると、バキュームベルト１４cにおける寿命時などの交換の際に、ベルト駆動ローラ１４aからスプラインシャフト１８を引き抜くことが必須であると同時にスプラインシャフト１８と、印刷装置本体に設けられたスプラインシャフト１８の駆動源も取り外す必要があり、交換に多大な時間がかかっていた。
印刷装置本体に設けられたスプラインシャフト１８の駆動源としては、スプラインシャフト１８の端部に設けられたプーリをタイミングベルトにて駆動する方式が一般的である。（図示せず）
【０００７】
【特許文献１】特開２００３−２５２４７４号公報
【特許文献２】特開２００３−１４６５０２号公報
【発明の開示】
【発明が解決しようとする課題】
【０００８】
バキュームベルトユニットで最も頻繁に交換される部品としては、ゴムで形成されたバキュームベルトが挙げられ、他のバキュームベルトユニット部品と比較して経時的に劣化し易く、また突発的な負荷により破損が起こり易い。そのバキュームベルトの交換の際には、印刷装置本体に設置されたスプラインシャフトをベルト駆動ローラ内径に設けられたボスから引き抜かなければならないと同時に、スプラインシャフトの駆動源をスプラインシャフトから取り外すことが必須である。このような構成であるとバキュームベルトの保守にかかる時間が多大となり、その間、印刷装置が使用出来ないという問題があった。
【０００９】
本発明の目的はバキュームベルトユニットを容易に印刷装置本体から取り出し、バキュームベルト交換の保守時間を短縮することにある。
【課題を解決するための手段】
【００１０】
上記目的は、バキュームベルトユニットに設けられたベルト駆動ローラ端部にギヤを設け、スプラインシャフトに嵌合されるボスの回転軸と同じ回転軸を持つギヤとそのギヤから駆動伝達されるアイドルギヤを合わせ持つギヤボックスを構成し、バキュームベルトユニットフレームに位置決め固定し、バキュームベルト駆動ローラ端部に設けたギヤとアイドルギヤが噛み合うことにより、バキュームベルトの駆動ローラが駆動される構成にすることにより達成される。
【発明の効果】
【００１１】
本発明によれば、バキュームベルトの交換が容易となり保守作業時間の短縮が可能となった。
【発明を実施するための最良の形態】
【００１２】
以下、本発明の実施例を図面を用いて説明する。
【００１３】
図１に、本発明による印刷装置（印刷装置には電子写真方式・インクジェット方式・熱転写方式等様々存在するが、ここでは電子写真方式を例に示す）の概略図を示す。
【００１４】
図１に示す印刷装置は、感光ドラム１が回転し、帯電器２に高電圧が印加され、感光ドラム１表面に例えば正の電荷が均一に帯電される。ドットイメージに変換された文字データや図形データが半導体レーザや発光ダイオードなどで構成された光学ユニット３のオン／オフ信号として、前記感光ドラム１上に光が照射され、いわゆる静電潜像が形成される。前記静電潜像は現像装置４により現像され、前記感光ドラム１上にトナー像が形成される。前記トナー像は、前記ウェブ５の背面側に前記トナー像と逆極性の電荷を付与する転写器７の作用によって前記ウェブ５上にトナーが吸引される。その後、前記ウェブ５は、転写前には挟持ローラユニット６で、転写後はバキュームベルトユニット１４により搬送され、バッファプレート８を経て定着ユニット９に搬送される。前記定着ユニット９に到達したウェブ５は、プレヒータ１０で予熱された後、ヒータランプ１１を備えたヒートロール１２と加圧ローラ１３からなる一対の定着ローラによって形成されるニップ部によって加熱加圧されながら挟持搬送され、前記トナー像がウェブ５に溶融定着される。前記挟持ローラユニット６は、１対のローラから構成され、ウェブ５は搬送される。また、前記バキュームベルトユニット１４は、ベルト駆動ローラ１４ａ、バキュームユニットフレーム１４ｂ、バキュームベルト１４ｃ、バキュームチューブ１４ｄ、従動ローラ１４ｅ、圧力ケース１５、ブロア１６から構成される。前記バキュームベルト１４ｃは、前記ベルト駆動ローラ１４ａによりウェブ５搬送方向に回転する。また、前記バキュームベルト１４ｃはゴム材質で形成されており若干の伸縮が可能である。また、全周に穴が空いており、前記ブロア１６の吸引力を圧力ケース１５でエアーリーク量を調整することにより、ある一定の圧力に調整し、バキュームチューブ１４ｄを介して、バキュームベルトフレーム１４ｂに設けられた吸引室でウェブ５を吸引しながら搬送する構成となっている。
【００１５】
図２のようにバキュームベルトユニット１４は支持シャフト１７と駆動源となるスプラインシャフト１８によって本体に支持されており、スプラインシャフト１８に嵌合されているギヤ付ボス２４ｂ、２５ｂはバキュームベルトユニット１４に連結されている。バキュームベルトユニット１４はウェブ５幅に応じてウェブ搬送装置本体の前後方向に移動可能である。バキュームベルトユニット１４はウェブ５をスキュー無く、走行させるために、ユーザによってウェブ５の幅方向中央部に設定する構成となっている。
【００１６】
以下、本発明の構成の詳細を図２及び図３を用いて説明する。ギヤボックス（１）２４はスプラインシャフト１８に嵌合するボスと駆動軸が同じギヤを固定したギヤ付ボス２４ｂとアイドルギヤ２１を合わせ持ち、ギヤ付ボス２４ｂはベアリング２４ｃにてギヤボックスフレーム２４ａの穴にギヤ部がアイドルギヤ２１と噛み合うように嵌合され、止め輪２４ｄによりガタが無く保持されている。そしてギヤボックス（１）２４は、バキュームベルトフレーム１４ｂに設けられたピンにより位置決めされ、ネジ２４ｅ等で固定することでベルト駆動ローラ１４ａの端部に圧入固定されたギヤ２２とアイドルギヤ２１が噛み合うことにより、スプラインシャフト１８の駆動はベルト駆動ローラ１４ａに伝達される。また、ギヤボックス（１）２４の反対側にはギヤボックス（１）２４と同様の構成で駆動伝達手段を持たないギヤボックス（２）２５が設けられておりバキュームベルトユニット１４の保持を確実なものとしている。ギヤボックス（２）２５も同様にボス２５ｂはベアリング２５cによりギヤボックスフレーム２５ａの穴に嵌合され止め輪２４dによりガタ無く保持されている。
【００１７】
図３は図２のＡ方向から見た側面図の概略図を示し、本発明のバキュームベルト駆動部の詳細を示す。ギヤボックス（１）２４、ギヤボックス（２）２５は共にネジ２４ｅ，２５ｅを取り外すことによりスプラインシャフト１８を回転中心として回動可能となり、バキュームベルトユニット１４から離れ、バキュームベルトユニット１４は保持シャフト１７のみで保持される。保持シャフト１７はマシン本体のフレーム間にネジで固定されており、ネジを外し、マシン方向手前に引き抜くことで、バキュームユニット１４をマシン本体から容易に取り外すことが可能となり、その状態でバキュームベルト１４ｃの交換が容易となる。バキュームベルト１４ｃは従動ローラ１４ｅによって張力がかけられており、バキュームベルト１４ｃを伸ばしながら図２の矢印⇔の方向に脱着が可能である。
【図面の簡単な説明】
【００１８】
【図１】本発明による印刷機の概略構成図である。
【図２】本発明のバキュームベルトユニットの概略構成図である。
【図３】本発明のバキュームベルトユニット駆動部の側面図である。
【図４】従来技術による印刷機の概略構成図である。
【図５】従来技術のバキュームベルトユニットのウェブ搬送状態での概略構成図である。
【符号の説明】
【００１９】
１は感光体、２は帯電器、３は光学ユニット、４現像装置、５はウェブ、６は挟持ローラユニット、７は転写器、８はバッファ、９は定着ユニット、１０はプレヒータ、１１はヒータランプ、１２はヒートロール、１３は加圧ローラ、１４はバキュームベルトユニット、１４ａはベルト駆動ローラ、１４ｂはバキュームベルトユニットフレーム、１４ｃはバキュームベルト、１４ｄはバキュームチューブ、１５は圧力ケース、１６はブロア、１７は支持シャフト、１８はスプラインシャフト、２１はアイドルギヤ、２２は駆動ローラギヤ、２４はギヤボックス（１）、２５はギヤボックス（２）である。
【図１】
2005231828.tif 000003
【図２】
2005231828.tif 000004
【図３】
2005231828.tif 000005
【図４】
2005231828.tif 000006
【図５】
2005231828.tif 000007